(57)【要約】      （修正有）【課題】より簡単にボルト及びナットによって被締結部材を締結することを可能にする締結補助具を提供する。【解決手段】締結補助具１は、ボルト５０及びナット５５によって被締結部材６０，７０を締結する際に用いられる。締結補助具１は、板状の部材から構成されており、基部１０と、間隔を隔てて対向するように基部１０から延設され、ボルト５０の頭部５３の二平面と係合可能となった１対の第１係合片１５と、１対の第１係合片１５の間で基部１０から延設され、ボルト５０の頭部５３の上面と係合可能となった第２係合片２０と、第１係合片１５の対向方向と平行な直線に沿って折り返されるように基部１０から延設された折り返し片２５とを備える。基部１０は、折り返し片２５との間に形成される隙間にボルト５０側に対応した被締結部材６０の締付部６１の近傍の突出部６４が挿入されることによりこの被締結部材６０に装着される。【選択図】図２
0003162431.tif 000002
【実用新案登録請求の範囲】
【請求項１】
外周にねじ溝が形成された軸部と、少なくとも１対の平行な二平面を外周に有し、前記軸部の一端に設けられる頭部とを備えたボルトと、前記ボルトの軸部に螺合するナットとによって少なくとも２つの被締結部材の締付部を締め付け、両者を締結する際に用いられる補助具であって、
板状の部材から構成されるとともに、
前記ボルト側に対応した被締結部材の締付部近傍に着脱自在に且つ非回転に係止される基部と、
間隔を隔てて対向するように前記基部から延設され、前記ボルトの頭部の二平面と係合可能となった１対の第１係合片と、
前記１対の第１係合片の間で前記基部から延設され、前記ボルトの頭部の上面と係合可能となった第２係合片とを備えていることを特徴とする締結補助具。
【請求項２】
前記第１係合片の対向方向と平行な直線に沿って折り返されるように前記基部から延設された折り返し片を更に備え、
前記基部は、前記折り返し片との間に形成される隙間に前記ボルト側に対応した被締結部材の締付部近傍が挿入されることによりこの被締結部材に装着されるように構成されていることを特徴とする請求項１記載の締結補助具。
【請求項３】
前記第１係合片の対向方向と垂直な直線に沿って折り返されるように前記基部から延設された折り返し片を更に備え、
前記基部は、前記折り返し片との間に形成される隙間に前記ボルト側に対応した被締結部材の締付部近傍が挿入されることによりこの被締結部材に装着されるとともに、前記被締結部材に装着された状態で、前記被締結部材に対し前記垂直な直線と平行な方向にスライド移動自在に構成されていることを特徴とする請求項１記載の締結補助具。
【請求項４】
前記第１係合片の一方は、前記第１係合片の他方と対向する側とは反対側の側面が、前記ボルト側に対応した被締結部材に当接するように形成されていることを特徴とする請求項３記載の締結補助具。
【請求項５】
前記第１係合片は、互いに対向する対向面の、前記基部側とは反対側の端部に、対向間隔が広くなるように面取りが形成されていることを特徴とする請求項１乃至４記載のいずれかの締結補助具。
【請求項６】
前記第２係合片の先端側及び付け根側には、前記ボルトの外周面とそれぞれ係合する係合部が形成されていることを特徴とする請求項１乃至５記載のいずれかの締結補助具。
【請求項７】
前記第２係合片は、その付け根側よりも先端側の方が前記第１係合片との間の高さ方向における間隔が狭くなるように傾斜して形成されていることを特徴とする請求項１乃至５記載のいずれかの締結補助具。
【請求項８】
前記第２係合片は、その付け根側から先端側にかけての部分が前記第１係合片とは異なる高さに設けられるとともに、前記付け根側が屈曲して前記基部に接続されていることを特徴とする請求項１乃至７記載のいずれかの締結補助具。
【考案の詳細な説明】
【技術分野】
【０００１】
本考案は、外周にねじ溝が形成された軸部と、前記軸部の一端に設けられる頭部とを備えたボルトと、前記ボルトの軸部に螺合するナットとによって少なくとも２つの被締結部材を締結する際に用いられる締結補助具に関する。
【背景技術】
【０００２】
ボルト及びナットは、各種の被締結部材を締結するときに用いられる一般的な締結具であるが、一例を挙げれば、例えば、太陽電池パネルを建物の屋根などに設置する際に使用される。具体的には、屋根に固定された取付架台に太陽電池パネルのフレームがボルト及びナットにより締結され、これにより、太陽電池パネルが屋根に取り付けられる。尚、このように、ボルト及びナットを用いて設置される太陽電池パネルとして、従来、例えば、特開２０００−１７９１１７号公報に開示されたものがある。
【先行技術文献】
【特許文献】
【０００３】
【特許文献１】特開２０００−１７９１１７号公報
【考案の概要】
【考案が解決しようとする課題】
【０００４】
ところで、ボルト及びナットによって被締結部材を締結する場合、通常、ボルトを回らないように固定してナットを回したり、ナットを回らないように固定してボルトを回す必要がある。したがって、作業者が締結作業を行うときには、一方の手でボルト及びナットの一方を固定し、他方の手でボルト及びナットの他方を回さなければならない。
【０００５】
しかしながら、上述のようにして締結作業を行ったのでは、両手を使って作業しなければならず、煩わしい。また、ボルト及びナットの一方を固定するためには、工具や手を入れるためのスペースが必要であるが、被締結部材の形状や設置場所によっては、このようなスペースを十分に確保することができず、作業し難い場合もある。
【０００６】
本考案は、以上の実情に鑑みなされたものであって、より簡単にボルト及びナットによって被締結部材を締結することを可能にする締結補助具の提供をその目的とする。
【課題を解決するための手段】
【０００７】
上記目的を達成するための本考案は、
外周にねじ溝が形成された軸部と、少なくとも１対の平行な二平面を外周に有し、前記軸部の一端に設けられる頭部とを備えたボルトと、前記ボルトの軸部に螺合するナットとによって少なくとも２つの被締結部材の締付部を締め付け、両者を締結する際に用いられる補助具であって、
板状の部材から構成されるとともに、
前記ボルト側に対応した被締結部材の締付部近傍に着脱自在に且つ非回転に係止される基部と、
間隔を隔てて対向するように前記基部から延設され、前記ボルトの頭部の二平面と係合可能となった１対の第１係合片と、
前記１対の第１係合片の間で前記基部から延設され、前記ボルトの頭部の上面と係合可能となった第２係合片とを備えていることを特徴とする締結補助具に係る。
【０００８】
この考案によれば、被締結部材の締付部に配置されたボルトの頭部を１対の第１係合片及び第２係合片の間に入れて、第１係合片とボルトの頭部の二平面とを係合させ、第２係合片とボルトの頭部の上面とを係合させるとともに、ボルト側に対応した被締結部材の締付部近傍に基部を着脱自在に且つ非回転に係止する。これによって、ボルトの頭部が各係合片により保持され、また、ボルトの頭部の回転が規制される。
【０００９】
この後、このようにして締結補助具により保持されたボルトにナットを締め付ければ、被締結部材の締付部を締め付けて、少なくとも２つの被締結部材を締結することができる。その際、当該締結補助具によってボルトの頭部の回転が規制され、ボルトが回転しないようになっているので、締結作業を行う作業者は、一方の手でボルトを固定するといったことを行うことなく、ナットを回して締め付けることができる。このため、作業者は、片手で作業を行うことができるし、また、工具や手を入れるためのスペースが不要であり、ボルト側のスペースが狭くても作業し易い。尚、被締結部材の締結後は、当該締結補助具を被締結部材から取り外しても良い。
【００１０】
このように、本考案に係る締結補助具によれば、当該締結補助具によってボルトを非回転に保持することができるので、作業者は、ナットを締める作業だけで済み、より簡単且つ効率的に被締結部材を締結することができる。
【００１１】
尚、前記締結補助具は、前記第１係合片の対向方向と平行な直線に沿って折り返されるように前記基部から延設された折り返し片を更に備え、前記基部は、前記折り返し片との間に形成される隙間に前記ボルト側に対応した被締結部材の締付部近傍が挿入されることによりこの被締結部材に装着されるように構成されていても良い。この場合、基部と折り返し片との間に形成される隙間に被締結部材の締付部近傍が挿入されて締結補助具が装着されると、折り返し片と締付部近傍との係合関係によって当該締結補助具及びボルトの頭部の回転が規制される。
【００１２】
また、前記締結補助具は、前記第１係合片の対向方向と垂直な直線に沿って折り返されるように前記基部から延設された折り返し片を更に備え、前記基部は、前記折り返し片との間に形成される隙間に前記ボルト側に対応した被締結部材の締付部近傍が挿入されることによりこの被締結部材に装着されるとともに、前記被締結部材に装着された状態で、前記被締結部材に対し前記垂直な直線と平行な方向にスライド移動自在に構成されていても良い。この場合には、基部と折り返し片との間に形成される隙間に被締結部材の締付部近傍を挿入して締結補助具を装着した後、当該締結補助具をボルト側に被締結部材に対してスライド移動させることにより、第１係合片とボルトの頭部の二平面とを係合させ、第２係合片とボルトの頭部の上面とを係合させる。そして、このときにも、上記と同様、折り返し片と締付部近傍との係合関係によって当該締結補助具及びボルトの頭部の回転が規制される。
【００１３】
この場合において、前記第１係合片の一方を、前記第１係合片の他方と対向する側とは反対側の側面が、前記ボルト側に対応した被締結部材に当接するように形成すれば、ナット締付時に生じるボルトの回転力によって１対の第１係合片がその対向方向に互いに離れるように開く力がこれに作用しても、その力を第１係合片の一方に当接した被締結部材で受けることができるので、第１係合片が互いに離れるように開くのを防止することができる。これにより、ナットを所定の締付トルクで確実に締めることができる。
【００１４】
また、前記第１係合片は、互いに対向する対向面の、前記基部側とは反対側の端部に、対向間隔が広くなるように面取りが形成されていても良い。このようにすれば、ボルトの頭部を第１係合片及び第２係合片の間に入れて、第１係合片とボルトの頭部の二平面とを係合させたり、第２係合片とボルトの頭部の上面とを係合させる際に、その作業の容易化を図ることができる。
【００１５】
また、前記第２係合片の先端側及び付け根側には、前記ボルトの外周面とそれぞれ係合する係合部が形成されていても良い。このようにすれば、第２係合片の延設方向における締結補助具の移動がボルトの頭部外周と係合部との係合関係によって規制され、当該締結補助具が移動しなくなるので、取り付けた締結補助具が位置ずれしたり、脱落するのを防止することができる。
【００１６】
また、前記第２係合片は、その付け根側よりも先端側の方が前記第１係合片との間の高さ方向における間隔が狭くなるように傾斜して形成されていても良い。このようにすれば、第２係合片がボルトの頭部の上面と係合する際に弾性変形して、この弾性変形した第２係合片が元の形状に戻ろうとする力によりボルトの頭部が押さえられるため、上記と同様、取り付けた締結補助具が位置ずれしたり、脱落するのを防止することができる。
【００１７】
また、前記第２係合片は、その付け根側から先端側にかけての部分が前記第１係合片とは異なる高さに設けられるとともに、前記付け根側が屈曲して前記基部に接続されていても良い。
【考案の効果】
【００１８】
以上のように、本考案に係る締結補助具によれば、ボルト及びナットを用いた被締結部材の締結作業をより簡単且つ効率的に実施することができる。
【図面の簡単な説明】
【００１９】
【図１】本考案の一実施形態に係る締結補助具などの概略構成を示した平面図である。
【図２】図１における矢示Ａ−Ａ方向の断面図である。
【図３】図１に示した締結補助具など側面図である。
【図４】本実施形態に係る締結補助具と、ボルト及びナットとを用いて締結される太陽光パネルを示した斜視図である。
【図５】図５（ａ）及び図５（ｂ）は本考案の他の実施形態に係る締結補助具などの概略構成を示した平面図である。
【図６】図６（ａ）は図５（ａ）に示した締結補助具などの側面図であり、図６（ｂ）は図５（ｂ）に示した締結補助具などの側面図である。
【図７】図５（ｂ）における矢示Ｂ−Ｂ方向の断面図である。
【考案を実施するための形態】
【００２０】
以下、本考案の具体的な実施形態について、添付図面に基づき説明する。
【００２１】
図１乃至図４に示すように、本例の締結補助具１は、ボルト５０及びナット５５によって２つの被締結部材６０，７０の締付部６１，７１を締め付け、この被締結部材６０，７０を締結する際に用いられるものである。
【００２２】
尚、本例において、前記ボルト５０は、外周にねじ溝５２が形成された軸部５１と、軸部５１の一端に設けられ、上面と外周面との交差部に面取りが施された６角柱状の頭部５３とを備え、前記ナット５５は、前記頭部５３と同様、６角柱状に形成され、ボルト５０の軸部５１に螺合する。
【００２３】
また、図４に示すように、例えば、太陽電池パネル８０のフレーム８１と、建物の屋根に固定された取付架台８２とをボルト５０及びナット５５によって締結するものとし、前記フレーム８１には、前記被締結部材６０として、断面コの字状をした取付金具が設けられ、前記取付架台８２には、前記被締結部材７０として、同じく断面コの字状をした支持金具が設けられており、上下に同姿勢で平行に重ね合わされた前記取付金具６０の下辺部６２と前記支持金具７０の上辺部７２とを所定間隔で複数のボルト５０及びナット５５により締結する。取付金具６０の下辺部６２の締付部６１、及び支持金具７０の上辺部７２の締付部７１には、上下に貫通し、互いに連通するボルト穴６３，７３が形成されている。尚、取付金具６０の下辺部６２は、支持金具７０の上辺部７２よりもその長さが長く、その先端が長さの長い分だけ上辺部７２の先端から突出しており、この突出部６４に前記締結補助具１が装着される。
【００２４】
前記締結補助具１は、平面視矩形状且つ板状の部材から構成されており、前記取付金具６０の下辺部６２の突出部６４の表面に当接可能な基部１０と、間隔を隔てて対向するように基部１０から平行に延設され、ボルト５０の頭部５３の平行な二平面と係合可能となった１対の第１係合片１５と、１対の第１係合片１５の間でこれらと平行に基部１０から延設され、ボルト５０の頭部５３の上面と係合可能となった第２係合片２０と、第１係合片１５の対向方向と平行な直線に沿って折り返され、前記突出部６４の裏面に当接可能となるように基部１０から延設された折り返し片２５とを備える。
【００２５】
前記基部１０は、折り返し片２５との間に形成される隙間に前記突出部６４が挿入されることによりこの突出部６４に装着されるように構成される。そして、基部１０が突出部６４に装着されると、折り返し片２５と突出部６４の先端とが係合して基部１０（当該締結補助具１）の回転が規制される。
【００２６】
前記１対の第１係合片１５には、互いに対向する対向面と先端面との交差部に面取り１６が形成され、対向間隔が広くなるように形成されている。
【００２７】
前記第２係合片２０は、その付け根側から先端側にかけての部分が第１係合片１５とは異なる高さ（高い位置）に設けられ、前記付け根側が屈曲して基部１０に接続されている。また、第２係合片２０の先端側には、下方に突出するように先端側屈曲部２１が形成される。尚、この先端側屈曲部２１及び付け根側屈曲部２２は、それぞれ、ボルト５０の頭部５３の上部外周面の面取り部分と係合する係合部として機能する。
【００２８】
以上のように構成された本例の締結補助具１によれば、取付金具６０の下辺部６２の締付部６１のボルト穴６３内に挿通され、軸部５１の先端が突出したボルト５０の頭部５３を第１係合片１５及び第２係合片２０の間に入れるとともに、基部１０と折り返し片２５との間に形成される隙間に前記突出部６４が挿入されるように基部１０をこの突出部６４に装着する。
【００２９】
すると、図１及び図２の二点鎖線で示す状態から図１乃至図３の実線で示す状態となって、第１係合片１５とボルト５０の頭部５３の二平面とが係合し、第２係合片２０とボルト５０の頭部５３の上面とが係合し、第２係合片２０の先端側屈曲部２１及び付け根側屈曲部２２とボルト５０の頭部５３の上部外周面の面取り部分とが係合する。これにより、ボルト５０の頭部５３が保持され、また、折り返し片２５と突出部６４の先端とが係合して当該締結補助具１（ボルト５０の頭部５３）の回転が規制される。
【００３０】
この後、このようにして締結補助具１により保持され、支持金具７０の上辺部７２の締付部７１のボルト穴７３から軸部５１の先端が突出したボルト５０にナット５５を締め付ければ、取付金具６０の下辺部６２の締付部６１と支持金具７０の上辺部７２の締付部７１とを締め付けて取付金具６０及び支持金具７０を締結することができる。
【００３１】
その際、当該締結補助具１によってボルト５０の頭部５３の回転が規制され、ボルト５０が回転しないようになっているので、締結作業を行う作業者は、一方の手でボルト５０を固定するといったことを行うことなく、ナット５５を回して締め付けることができる。このため、作業者は、片手で作業を行うことができるし、また、工具や手を入れるためのスペースが不要であり、ボルト５０側のスペースが狭くても作業し易い。尚、締結後は、当該締結補助具１を取付金具６０から取り外しても良い。
【００３２】
このように、本例の締結補助具１によれば、当該締結補助具１によってボルト５０を非回転に保持することができるので、作業者は、ナット５５を締める作業だけで済み、より簡単且つ効率的に取付金具６０及び支持金具７０を締結することができる。
【００３３】
また、第１係合片１５の対向面と先端面との交差部に面取り１６を形成しているので、ボルト５０の頭部５３を第１係合片１５及び第２係合片２０の間に入れて、第１係合片１５とボルト５０の頭部５３の二平面とを係合させたり、第２係合片２０とボルト５０の頭部５３の上面とを係合させる際に、その作業の容易化を図ることができる。
【００３４】
また、第２係合片２０の先端側屈曲部２１及び付け根側屈曲部２２とボルト５０の頭部５３の上部外周面の面取り部分とを係合させているので、第２係合片２０の延設方向における締結補助具１の移動がボルト５０の頭部５３と屈曲部２１，２２との係合関係によって規制され、当該締結補助具１が移動しなくなるので、取り付けた締結補助具１が位置ずれしたり、脱落するのを防止することができる。
【００３５】
以上、本考案の一実施形態について説明したが、本考案の採り得る具体的な態様は、何らこれに限定されるものではない。
【００３６】
上例では、前記折り返し片２５が、第１係合片１５の対向方向と平行な直線に沿って折り返されていたが、これに限られるものではなく、前記折り返し片２５に代えて、第１係合片１５の対向方向と垂直な直線に沿って折り返され、前記突出部６４の裏面に当接可能となるように基部１０から延設された折り返し片４０を備える締結補助具２としても良い。
【００３７】
この場合、前記締結補助具２は、図５乃至図７に示すように、平面視矩形状且つ板状の部材から構成されており、基部３０と、前記第１係合片１５と、第２係合片３５と、前記折り返し片４０とを備える。
【００３８】
前記第１係合片１５は、その一方１５ａの対向面側とは反対側の側面が前記取付金具６０の垂直辺部６５に当接するように形成され、他方１５ｂは、その対向面側とは反対側が基部３０に接続されている。
【００３９】
前記第２係合片３５は、前記第１係合片１５の間にこれと平行に設けられている点、ボルト５０の頭部５３の上面と係合可能である点、その付け根側から先端側にかけての部分が第１係合片１５とは異なる高さに設けられ、前記付け根側が屈曲して基部３０に接続されている点において前記第２係合片２０と同様であるが、その付け根側よりも先端側の方が第１係合片１５との間の高さ方向における間隔が狭くなるように傾斜している点で異なっている。
【００４０】
前記基部３０は、前記取付金具６０の下辺部６２の突出部６４の表面に当接可能に構成されており、折り返し片４０との間に形成される隙間に前記突出部６４が挿入されることによってこの突出部６４に装着される。また、基部３０は、突出部６４に装着された状態で、前記対向方向に垂直な直線と平行な方向にスライド移動自在となっている。そして、基部３０が突出部６４に装着されると、折り返し片４０と突出部６４の先端とが係合して基部１０（当該締結補助具１）の回転が規制される。
【００４１】
そして、このように構成された締結補助具２では、基部３０と折り返し片４０との間に形成される隙間に取付金具６０の下辺部６２の突出部６４が挿入されるように基部３０をこの突出部６４に装着し、図５（ａ）の二点鎖線で示す状態から図５（ａ）及び図６（ａ）の実線で示す状態にする。
【００４２】
この後、当該締結補助具２をボルト５０側に取付金具６０に対してスライド移動させ、図５（ｂ）及び図６（ｂ）の二点鎖線で示す状態から図５（ｂ），図６（ｂ）及び図７の実線で示す状態にする。これにより、締付部６１のボルト穴６３内に挿通され、軸部５１の先端が突出したボルト５０の頭部５３の二平面と第１係合片１５とが係合し、ボルト５０の頭部５３の上面と第２係合片３５とが係合する。その際、ボルト５０の頭部５３については、弾性変形した第２係合片３５が元の形状に戻ろうとする力によって押さえられる。
【００４３】
このようにして、ボルト５０の頭部５３が各係合片１５，３５により保持され、また、折り返し片４０と突出部６４の先端とが係合して当該締結補助具１（ボルト５０の頭部５３）の回転が規制される。
【００４４】
この後、当該締結補助具２により保持され、支持金具７０の上辺部７２の締付部７１のボルト穴７３から軸部５１の先端が突出したボルト５０にナット５５を締め付ければ、上記と同様、取付金具６０の下辺部６２の締付部６１と支持金具７０の上辺部７２の締付部７１とを締め付けて取付金具６０及び支持金具７０を締結することができ、上述した効果と同様の効果を得ることができる。
【００４５】
更に、第１係合片１５の一方１５ａの対向面側とは反対側の側面を前記取付金具６０の垂直辺部６５に当接させているので、ナット５５の締付時に生じるボルト５０の回転力によって第１係合片１５がその対向方向に互いに離れるように開く力がこれに作用しても、その力を第１係合片１５の一方１５ａに当接した取付金具６０の垂直辺部６５で受けることができ、第１係合片１５が互いに離れるように開くのを防止することができる。これにより、ナット５５を所定の締付トルクで確実に締めることができる。
【００４６】
また、第２係合片３５を、その付け根側よりも先端側の方が第１係合片１５との間の高さ方向における間隔が狭くなるように傾斜させ、第２係合片３５がボルト５０の頭部５３の上面と係合する際に弾性変形するようにしているので、弾性変形した第２係合片３５が元の形状に戻ろうとする力によってボルト５０の頭部５３を押さえることができ、締結補助具１と同様、取り付けた締結補助具２が位置ずれしたり、脱落するのを防止することができる。
【００４７】
前記締結補助具１，２の板厚は、特に限定されるものではなく、どのような板厚の板材から成形しても良い。
【００４８】
上例におけるボルト５０やナット５５、被締結部材６０，７０は一例を示したものに過ぎず、他の形状を備えたボルト５０やナット５５で締結したり、他の形状を備えた被締結部材６０，７０を締結するようにしても良い。また、締結の手順などは何ら限定されるものではない。更に、上述の例では、太陽電池パネル８０を取り付けるようにしたが、太陽電池パネル８０以外のものを取り付けるようにしても良い。
【符号の説明】
【００４９】
１    締結補助具
１０  基部
１５  第１係合片
２０  第２係合片
２５  折り返し片
５０  ボルト
５３  頭部
５５  ナット
６０，７０  被締結部材
【図１】
0003162431.tif 000003
【図２】
0003162431.tif 000004
【図３】
0003162431.tif 000005
【図４】
0003162431.tif 000006
【図５】
0003162431.tif 000007
【図６】
0003162431.tif 000008
【図７】
0003162431.tif 000009